(57)【要約】【課題】扉部を閉塞する際に大きな力を要せず、かつ高い防水防塵機能を備えた電気機器収納用箱用パッキンを提供する。【解決手段】中空パッキン５と、中空パッキン５の表面に長手方向に形成された溝部９と、溝部９に嵌め込まれて保持されるとともに、中空パッキン５と比較して高い反発力を有する高反発パッキン１０とを備えるものとした。また、中空パッキン５は、溝部９と対向する位置に平坦部１１を備えるものとし、平坦部１１を電気機器収納用箱の扉部に取付けることが好ましい。【選択図】図３
2015195275.tif 000002
【特許請求の範囲】
【請求項１】
中空パッキンと、
該中空パッキンの表面に長手方向に形成された溝部と、
該溝部に嵌め込まれて保持されるとともに、前記中空パッキンと比較して高い反発力を有する高反発パッキンとを備えたことを特徴とする電気機器収納用箱用パッキン。
【請求項２】
前記中空パッキンは、前記溝部と対向する位置に平坦部を備えるものとし、
該平坦部を電気機器収納用箱の扉部に取付けたことを特徴とする請求項１記載の電気機器収納用箱用パッキン。
【請求項３】
前記高反発パッキンは、前記扉部の閉塞時に、電気機器収納用箱本体の水切り部に当接する位置に設けたことを特徴とする請求項２記載の電気機器収納用箱用パッキン。
【請求項４】
前記中空パッキンは、直線状の直線部材同士を、コーナー部材を介して溶着して枠状に形成されるものとし、
前記溝部は、前記中空パッキンの表面に枠状に形成されるものとした上で、
線状に形成された前記高反発パッキンを折り曲げて、前記溝部に保持させたことを特徴とする請求項３記載の電気機器収納用箱用パッキン。
【発明の詳細な説明】
【技術分野】
【０００１】
本発明は、電気機器収納用箱における防水防塵効果を高めるための、電気機器収納用箱用パッキンに関するものである。
【背景技術】
【０００２】
電気機器をその内部に収納するための電気機器収納用箱等は、屋外で使用される場合があり、雨水や塵等が筐体内部に侵入しないように、電気機器収納用箱本体と扉部との間に弾性材料からなるパッキンが設けられている。
【０００３】
前記パッキンは、特許文献１のように、扉部の内側のうち、電気機器収納用箱本体の水切り部に対応する位置に、枠状に構成されることが通常である。さらに、前記パッキンとしては、中空パッキンが用いられ、発泡体を内包した直線状の直線部材同士を、コーナー部材を介して溶着することにより枠状に構成される。しかしながら、前記コーナー部材は、直線部材同士を溶着させる工程上、発泡体を含ませることが困難であり、弾性の低い箇所となってしまう。これにより、経年劣化によりコーナー部材の弾性が低下し、特に水切り部の角部における防水防塵機能が低下する問題があった。
【０００４】
パッキンを枠状に構成するその他の方法としては、発泡体を内包した直線状のパッキンを形成しさらに、パッキンを折り曲げることにより枠状とする方法がある。この方法によれば、前記コーナー部材に相当する箇所にも発泡体を内包させることが可能となるが、パッキンを折り曲げる際に皺が発生してしまい、前記と同様に水切り部の角部における防水防塵機能が低下する問題があった。
【０００５】
そこで、前記パッキンの防水防塵機能を高めるためには、例えばパッキンの厚みを厚くする、または、パッキンの反発係数を高める、若しくはパッキンの硬度を上げる等の方法があるが、特に電気機器収納用箱のサイズが大きい場合には、このような方法を取ると扉部を閉塞する際に大きな力が必要となり、実用性に欠ける問題があった。
【先行技術文献】
【特許文献】
【０００６】
【特許文献１】特開２００８−２１８６７７
【発明の概要】
【発明が解決しようとする課題】
【０００７】
本発明の目的は前記した従来の問題点を解決し、扉部を閉塞する際に大きな力を要せず、かつ高い防水防塵機能を備えた電気機器収納用箱用パッキンを提供することである。
【課題を解決するための手段】
【０００８】
上記課題を解決するためになされた本発明は、中空パッキンと、該中空パッキンの表面に長手方向に形成された溝部と、該溝部に嵌め込まれて保持されるとともに、前記中空パッキンと比較して高い反発力を有する高反発パッキンとを備えたことを特徴とするものである。
【０００９】
請求項２記載の発明は、請求項１記載の電気機器収納用箱用パッキンにおいて、前記中空パッキンは、前記溝部と対向する位置に平坦部を備えるものとし、該平坦部を電気機器収納用箱の扉部に取付けたことを特徴とするものである。
【００１０】
請求項３記載の発明は、請求項２記載の電気機器収納用箱用パッキンにおいて、前記高反発パッキンは、前記扉部の閉塞時に、電気機器収納用箱本体の水切り部に当接する位置に設けたことを特徴とするものである。
【００１１】
請求項４記載の発明は、請求項３記載の電気機器収納用箱用パッキンにおいて、前記中空パッキンは、直線状の直線部材同士を、コーナー部材を介して溶着して枠状に形成されるものとし、前記溝部は、前記中空パッキンの表面に枠状に形成されるものとした上で、線状に形成された前記高反発パッキンを折り曲げて、前記溝部に保持させたことを特徴とするものである。
【発明の効果】
【００１２】
本発明に係る電気機器収納用箱用パッキンは、中空パッキンと、この中空パッキンの表面に長手方向に形成された溝部と、この溝部に嵌め込まれて保持されるとともに、前記中空パッキンと比較して高い反発力を有する高反発パッキンとを備えるものとした。このように、高反発パッキンを、中空パッキンに形成した溝部によって保持させることにより、扉部を閉塞する際の反発力を低下させることができ、小さな力で扉部を閉塞することが可能となる。さらに、閉塞完了後は高反発パッキンによる高い防水防塵機能を備えることができる。
【００１３】
請求項２に係る発明によれば、中空パッキンは、溝部と対向する位置に平坦部を備えるものとし、この平坦部を電気機器収納用箱の扉部に取付けるものとした。このように平坦部を形成することにより、扉部への中空パッキンの取付が容易になると同時に、取付後には中空パッキンが扉部から剥がれにくくなる効果を有する。
【００１４】
請求項３に係る発明によれば、高反発パッキンは、扉部の閉塞時に、電気機器収納用箱本体の水切り部に当接する位置に設けるものとしたことにより、特に従来発生していた水切り部の角部における防水防塵機能の低下を防止することが可能となる。
【００１５】
請求項４に係る発明によれば、中空パッキンは、直線状の直線部材同士を、コーナー部材を介して溶着して枠状に形成されるものとしたことにより、中空パッキンを枠状に形成する際に皺が発生することがない。
【図面の簡単な説明】
【００１６】
【図１】本実施形態における電気機器収納用箱本体側を示す正面図である。
【図２】本実施形態における扉部側を示す正面図である。
【図３】本実施形態の要部を示す断面図である。
【図４】本実施形態の要部を示す分解断面図である。
【図５】本実施形態における扉部の閉塞時から閉塞完了後までを示す断面図である。
【図６】その他の実施形態の要部を示す断面図である。
【図７】その他の実施形態の要部を示す断面図である。
【図８】その他の実施形態の要部を示す断面図である。
【図９】その他の実施形態の要部を示す断面図である。
【図１０】その他の実施形態の要部を示す断面図である。
【発明を実施するための形態】
【００１７】
以下に本発明の好ましい実施形態を示す。
電気機器を収納するための電気機器収納用箱は、図１に示すように、電気機器収納用箱本体１と、その開口部２を閉塞するための、図２に示す扉部３とからなる。さらに、この扉部３の内側には、電気機器収納用箱本体１に設けられた開口部２の周囲に枠状に形成された水切り部４に対応する位置に、雨水や塵等の侵入を防止するための電気機器収納用箱用パッキンが設けられる。
【００１８】
本発明の電気機器収納用箱用パッキンは、図２のように、枠状に形成された中空パッキン５と、その表面に形成された枠状の溝部９と、この溝部９に嵌め込まれて保持される高反発パッキン１０とにより構成される。また、中空パッキン５は、直線状に形成されたゴム等の弾性材料からなり、発泡体を含ませた直線部材６同士を、同様にゴム等の弾性材料からなるコーナー部材７を介して溶着してなるものとした。なお、前記中空パッキン５の内部には、空洞が形成されている。また、中空パッキン５は、図３及び図４のように断面半月状に成形するものとし、その曲面部８の略中央には、溝部９を形成するものとした。さらに、この溝部９には、中空パッキン５と比較して高い反発力や剛性を有する、ゴム等の弾性材料からなる断面円形状の高反発パッキン１０が嵌め込まれて保持される。高反発パッキン１０は、例えば中空パッキン５に対して密度を高くして反発力や剛性を高めるものとする。この高反発パッキン１０は、中空パッキン５と比較して、高反発のため変形に対しての反発力が強く、また高剛性のため変形し難く、高い水圧がかかった場合でも高い防水機能を有するものである。また、高反発パッキン１０は中空パッキン５と比較して高い反発力や剛性を有していればよく、高反発パッキン１０内部をパッキンで埋めたり、発泡体を含ませたり、内部を中空にしても良い。
【００１９】
このように高反発パッキン１０を中空パッキン５の表面に形成した枠状の溝部９によって保持させることにより、図５のように、扉部３の閉塞時には、水切り部４が高反発パッキン１０に当接し、さらに高反発パッキン１０が押し込まれることにより中空パッキン５が容易に変形するため、反発力が低下し、小さな力で扉部３を閉塞することが可能となる。さらに、図５のように、閉塞完了後には、水切り部４に中空パッキン５の曲面部８と高反発パッキン１０とが圧着することにより、中空パッキン５による従来通りの防水防塵機能に加え、高反発パッキン１０による高い防水防塵機能を備えることができる。
【００２０】
また、図３及び図４のように、中空パッキン５は断面半月状とすることにより、溝部９と対向する位置に扉部３への取付箇所となる平坦部１１を設けることが好ましい。これにより、扉部３への中空パッキン５の取付が容易になると同時に、取付後には中空パッキン５が扉部３から剥がれにくくなる効果を有する。なお、本実施形態とは反対に、平坦部１１を水切り部４に取付け、中空パッキン５と高反発パッキン１０とを、扉部３と圧着させることにより扉部３を閉塞する構造としても差し支えない。
【００２１】
本実施形態においては、高反発パッキン１０は、線状に形成されるものとし、これを折り曲げて枠状とすることにより、溝部９に保持させるものとした。さらに、高反発パッキン１０は、扉部３の閉塞時に、水切り部４に当接する位置に設けるものとした。これにより、扉部３の閉塞完了後には、図１の水切り部における角部１２にも、高反発パッキン１０が圧着されることとなり、コーナー部材７の弾性が低下したとしても、角部１２における防水防塵機能の低下を防止することが可能となる。
【００２２】
また、本実施形態においては、高反発パッキン１０を断面円形状としたことにより、扉部３の閉塞時に、水切り部４と点接触するため、より小さい力で扉部３を閉塞することを可能とした。なお、高反発パッキン１０は、中空パッキン５に対してその設置面積を小さいものとしたことにより、同様に、より小さい力で扉部３を閉塞することができる。さらに、高反発パッキン１０を断面円形状としたことにより、溝部９に嵌め込む際の向きを憂慮する必要がないため、作業性が高いという利点もある。
【００２３】
なお、中空パッキン５は、直線部材６とコーナー部材７とを溶着して枠状に形成することにより、皺の発生を防止するものとしたが、従来と同様に、直線状の中空パッキン５を形成し、中空パッキン５を枠状に折り曲げるものとしても良い。この場合は、中空パッキン５を折り曲げる際に皺が発生するものの、溝部９に高反発パッキン１０を嵌め込んで保持することにより、水切り部４の角部１２における防水防塵機能の低下を防止することができる。
【００２４】
その他の実施形態として図６に示すように、中空パッキン５の形状は、断面四角形状とすることもできる。これにより、中空パッキン５の平坦部１１の面積を減少させることができ、特に中空パッキン５の取付箇所に制限がある場合に有効となる。
【００２５】
また、図７のように、防水防塵機能を高めるために、高反発パッキン１０を複数並べて溝部９に備えるものとすることもできる。その際には、高反発パッキン１０の数と同数の溝部９を形成することが好ましい。これらを組み合わせて、例えば図８のように２本の高反発パッキン１０を備えた断面四角形状の中空パッキン５とすることもできる。その他にも、平坦部１１の面積を大きくして、取付後の中空パッキン５の接着力を向上させた図９のような形状や、中空パッキン５と水切り部４との圧着力を高めるために、中空パッキン５の圧着側の角部に丸みを持たせた図１０のような形状としても良い。
【００２６】
なお、高反発パッキン１０の形状も、断面円形状に限定されず、例えば断面四角形状や断面三角形状等の多角形状とすることもできる。その際には、溝部の形状も高反発パッキン１０の形状に合わせたものとすることが好ましい。
【符号の説明】
【００２７】
１  電気機器収納用箱本体
２  開口部
３  扉部
４  水切り部
５  中空パッキン
６  直線部材
７  コーナー部材
８  曲面部
９  溝部
１０  高反発パッキン
１１  平坦部
１２  角部
【図１】
2015195275.tif 000003
【図２】
2015195275.tif 000004
【図３】
2015195275.tif 000005
【図４】
2015195275.tif 000006
【図５】
2015195275.tif 000007
【図６】
2015195275.tif 000008
【図７】
2015195275.tif 000009
【図８】
2015195275.tif 000010
【図９】
2015195275.tif 000011
【図１０】
2015195275.tif 000012